(57)【要約】【課題】受信器が間欠的に受信可能な状態になるリモコン通信システムにおいて、簡単な構成で送信器の消費電力を低減する。【解決手段】リモコン通信システム１の受信器３は、所定の時間間隔で短時間だけ受信可能な状態になるデータ受信部１２と、データ受信部１２が受信可能状態になる直前に、毎回、送信器２へ向けて同期信号２２を送信する同期信号送信部１３を備える。送信器２は、人間が接近したことを検知したときに送信トリガ信号２３を出力する人感センサ６と、送信トリガ信号２３が出力された時点で同期信号２２の受信動作を開始する同期信号受信部１０と、該同期信号受信部１０が同期信号２２を受信した時点で、受信器３へ向けてデータ２１の送信動作を開始するデータ送信部９と、を備える。同期信号受信部１０が同期信号２２を受信するまでの時間が平均的に短縮化されるので、送信器２の動作時間も平均的には短くなり送信器２の消費電力が低減される。【選択図】図１
2009290352.tif 000002
【特許請求の範囲】
【請求項１】
送信器と、該送信器からのデータを間欠的に受信可能な状態になる受信器と、を備えるリモコン通信システムにおいて、
前記受信器は、
該受信器が間欠的に受信可能な状態になる前に、毎回、前記送信器へ向けて同期信号を送信する同期信号送信部を備え、
前記送信器は、
送信するべきデータが発生した時点で送信トリガ信号を出力するトリガ部と、
前記トリガ部がトリガ信号を出力した時点で、前記同期信号送信部が送信する同期信号の受信動作を開始する同期信号受信部と、
前記同期信号受信部が同期信号を受信した時点で、前記受信器へ向けてデータの送信動作を開始するデータ送信部と、を備えることを特徴とするリモコン通信システム。
【発明の詳細な説明】
【技術分野】
【０００１】
本発明は、消費電力の低減を図るために受信器側が間欠的に受信可能な状態になるリモコン通信システムに関する。
【背景技術】
【０００２】
従来から、消費電力の低減を図るために受信器側が間欠的に受信可能な状態になるようにしたリモコン通信システムが知られている。このリモコン通信システムおける信号の送受信態様について、図４を参照して説明する。図４において受信器側は所定の間隔ｔ１（受信間隔という）毎に、短時間ｔ２（受信可能期間という）だけ受信可能な状態になる。送信器側は、送信信号１００として、同期信号１０１と、それに続けてデータ信号１０２を送信する。
【０００３】
送信器が送信信号１００を送信開始するタイミングＴ１は、例えば、ユーザがリモコン送信器のキーを押下することによって生成される任意のタイミングであり、同期信号１０１の長さｔ３が受信間隔ｔ１と受信可能期間ｔ２の和よりも長く設定されているので、送信開始タイミングＴ１の後の最初の受信可能期間において同期信号１０１が受信器により捕捉される（矢印Ａ参照）。同期信号を捕捉した受信器は、同期信号１０１に続いて送信されてくるデータ信号１０２を受信する。
【０００４】
上記リモコン通信システムでは、以上のように、送信信号１００の送信開始タイミングＴ１が任意のタイミングであっても同期信号１０１が必ず受信器によって捕捉され、続けてデータ信号１０２が受信されるが、送信器側は、常に十分な長さｔ３の同期信号１０１を付してデータ信号１０２を送信しなければならないために、送信信号１００の長さｔ４が長くなり、その分だけ送信器側の消費電力が多くなる。送信器側の電源が電池である場合には電池の寿命が短くなる。
【０００５】
一方、上記問題を解消するために、送信器と受信器のそれぞれに、互いに同期を取って動作する送信タイミング生成手段と受信タイミング生成手段を設け、送信器からのデータ信号の送信タイミングが常に受信器側の受信可能期間に一致するように構成したリモコン信号送受信システムが知られている（例えば、特許文献１参照）。このシステムでは、送信器からの送信信号に同期信号を含ませることが不要となっている。
【特許文献１】特許第２５８９３６９号公報
【発明の開示】
【発明が解決しようとする課題】
【０００６】
ところが、上記特許文献１のリモコン信号送受信システムでは、送信器と受信器のそれぞれに送信タイミング生成手段と受信タイミング生成手段を設けなければならないことから構成が複雑になる上に、送信タイミング生成手段と受信タイミング生成手段との同期のずれを補正するために送信器と受信器との間で同期を合せるための信号の送受信が新たに必要になる。
【０００７】
そこで、本発明は、上記課題を解決するものであり、簡単な構成でありながら、送信器側の消費電力を低減することができるリモコン通信システムを提供することを目的とする。
【課題を解決するための手段】
【０００８】
上記目的を達成するために、請求項１の発明は、送信器と、該送信器からのデータを間欠的に受信可能な状態になる受信器と、を備えるリモコン通信システムにおいて、前記受信器は、該受信器が間欠的に受信可能な状態になる前に、毎回、前記送信器へ向けて同期信号を送信する同期信号送信部を備え、前記送信器は、送信するべきデータが発生した時点で送信トリガ信号を出力するトリガ部と、前記トリガ部がトリガ信号を出力した時点で、前記同期信号送信部が送信する同期信号の受信動作を開始する同期信号受信部と、前記同期信号受信部が同期信号を受信した時点で、前記受信器へ向けてデータの送信動作を開始するデータ送信部と、を備えることを特徴とする。
【発明の効果】
【０００９】
請求項１の発明によれば、受信器側は受信可能な状態になる前に、毎回、同期信号を送信し、送信器側は送信するべきデータが発生した時点で同期信号の受信を開始し、同期信号を受信した時点でデータの送信を開始するので、送信器側における同期信号の受信動作時間とデータの送信時間との和からなる動作時間が従来のシステムに比べて平均的に短くなり、送信器側の消費電力を低減することができる。
【発明を実施するための最良の形態】
【００１０】
以下、本発明の一実施形態に係るリモコン通信システムについて、図１及び図２を参照して説明する。本実施形態のリモコン通信システム１は、図１に示されるように、リモコン送信器２とリモコン受信器３とを備え、照明器具４の点灯制御システム５の一部として組み込まれている。リモコン送信器２は、焦電型赤外線センサ等からなる人感センサ６（トリガ部）を備え、照明器具４から離れた位置に設置されており、人感センサ６が人間の接近を検知するとリモコン受信器３に向けて無線信号を送信する。リモコン受信器３は、リモコン送信器２から無線信号を受信すると、制御部７が受信した無線信号の内容に応じて照明器具４を点灯、又は調光制御するように構成されている。
【００１１】
リモコン送信器２は、人感センサ６の他に、マイクロプロセッサから構成される制御部８、照明器具４を点灯、又は調光制御させるための所定のデータ２１を送信するデータ送信部９、同期信号２２を待ち受けして受信する同期信号受信部１０、及びそれらの電源としての電池１１を備える。人感センサ６は人間の接近を検知したときに制御部８へ送信トリガ信号２３を出力する。上記データ２１、同期信号２２、及び送信トリガ信号２３の態様や送信タイミングについては、後述する。
【００１２】
リモコン受信器３は、マイクロプロセッサから構成される制御部７、所定の間隔で受信可能状態になるデータ受信部１２、及びデータ受信部１２が受信可能な状態になる直前に、毎回、同期信号２２を送信する同期信号送信部１３を備える。また、リモコン受信器３と照明器具４は、共に商用電源１４に接続された電源部１５から電源供給されるようになっている。
【００１３】
次に、本リモコン通信システム１の動作について、図２のタイミングチャートを参照して説明する。図２においては左半分と右半分とに、それぞれ別個の動作態様を並記している。ここに、図２の左側には同期信号受信部動作時間ｔ６が最も長い場合のタイミングを示し、右側には同期信号受信部動作時間ｔ７が最も短い場合のタイミングを示す。リモコン受信器３のデータ受信部１２は、制御部７によって制御されて所定の間隔ｔ１（受信間隔という）で、間欠的に短時間ｔ２（受信可能期間という）だけ受信可能な状態になる。同期信号送信部１３は、同じく制御部７によって制御されて、データ受信部１２が受信可能な状態になる直前に、毎回、短い時間幅ｔ５で同期信号２２ａ、２２ｂ、２２ｃ・・を送信する。
【００１４】
リモコン送信器２の制御部８は、人感センサ６により人体が検出され、同センサから送信トリガ信号２３を受信すると、その時点Ｔ１で同期信号受信部１０を動作状態として同期信号２２ａ、２２ｂ、２２ｃ・・を待ち受ける。その後、同期信号受信部１０が同期信号２２ｃ、２２ｅを捕捉した時点で（矢印Ｂ参照）、制御部８はデータ送信部９を動作状態としてデータ２１の送信を開始させる（時刻Ｔ２）。
【００１５】
データ送信部９から送信されたデータ２１は、データ受信部１２が受信可能期間になっているので、データ受信部１２によって直ちに捕捉されて受信される（矢印Ｃ参照）。データ受信部１２によって受信されたデータ２１は、制御部７によって復調、又はデコードされ、制御部７はデータ２１の内容に応じて照明器具４を点灯、又は調光制御する。
【００１６】
また、本リモコン通信システム１では、同期信号受信部１０が同期信号２２ａ、２２ｂ、２２ｃ・・を受信可能な状態になってから受信可能状態を終了するまでの時間ｔ６、ｔ７（同期信号受信部動作時間という）は、送信トリガ信号２３の生成タイミングによって長短変化する。
【００１７】
具体的には、図２の左側の態様は、送信トリガ信号２３の生成タイミングＴ１が同期信号２２ｂの立ち上がりよりも僅かに遅れた場合を示し、図２の右側の態様は、送信トリガ信号２３の生成タイミングＴ１が同期信号２２ｅの立ち上がりよりも僅かに早い場合を示す。前者の場合は、同期信号受信部１０は次に送信される同期信号２２ｃを捕捉するまで長い時間ｔ６に亘って待ち受け状態である受信可能状態を維持する。後者の場合は、同期信号受信部１０は、同期信号２２ｅの時間幅ｔ５より僅かに長い程度の比較的短い時間ｔ７だけ受信可能状態を維持する。実際の同期信号受信部動作時間の平均は、上記の最も長い場合の時間ｔ６と最も短い場合の時間ｔ７との中間程度になると考えられる。
【００１８】
ここで、本実施形態のリモコン通信システム１と従来のリモコン通信システムにおけるリモコン送信器側の消費電力を比較するために、リモコン送信器の動作時間に着目する。従来のシステムでは、図４に示されるように、リモコン送信器が送信信号１００を送信する時間ｔ４が動作時間である。この時間ｔ４は、同期信号１０１の送信時間ｔ３が前述のように受信間隔ｔ１と受信可能期間ｔ２との和よりも若干長い一定時間であるので、仮にデータ信号１０２の送信時間が一定であるとすると、時間ｔ４全体としても一定の時間である。
【００１９】
これに対して、本実施形態のリモコン通信システム１では、リモコン送信器２の動作時間は、図２に示されるように、同期信号受信部動作時間ｔ６、ｔ７とデータ２１の送信時間の和になり、同期信号受信部動作時間ｔ６、ｔ７の長さが変化するために、動作時間ｔ８、ｔ９の長さも変化する。いま、データ２１の送信時間が、従来システムにおけるデータ信号１０２の送信時間と同じであるとすると、本実施形態のリモコン送信器２の動作時間ｔ８、ｔ９は、平均的には従来システムにおけるリモコン送信器の動作時間ｔ４よりも短くなり、従来システムに比べてリモコン送信器２の消費電力は低減される。
【００２０】
これについてさらに説明する。すなわち、本実施形態のリモコン通信システム１における同期信号受信部動作時間ｔ６が最も長い場合について着目すると、この場合の同期信号受信部動作時間ｔ６は、リモコン受信器３の受信間隔ｔ１と受信可能期間ｔ２の和よりも僅かに長い時間になる。一方、従来システムにおける同期信号１０１の送信時間ｔ３も、受信間隔ｔ１と受信可能期間ｔ２の和よりも若干長い時間に設定されるので、本実施形態のリモコン通信システムにおける最も長い同期信号受信部動作時間ｔ６と、従来システムにおける同期信号１０１の送信時間ｔ３は、ほぼ同等の時間になる。
【００２１】
従って、本実施形態のリモコン通信システムにおける同期信号受信部動作時間は、前述の通り送信トリガ信号２３の生成タイミングに応じて長短変化するので、平均的には、従来システムにおける同期信号１０１の送信時間ｔ３よりも短くなり、リモコン送信器２の動作時間も、平均的には、従来システムにおける送信器の動作時間ｔ４よりも短くなる。
【００２２】
また、同期信号受信部動作時間ｔ６、ｔ７は、送信トリガ信号２３が生成されてからデータ２１がリモコン受信器３側へ送信されるまでの遅れ時間に相当するので、この遅れ時間ｔ６、ｔ７が平均的に短いということは、人感センサ６が人間の接近を検知してから照明器具４が点灯されるまでの応答が速いということになる。
【００２３】
さらに、上述した実施形態のリモコン通信システム１は、人感センサの検知信号によって点灯動作する照明器具４の点灯制御システム５に組み込まれたものを示したが、リモコン送信器２が人感センサに代えて押しボタン等の操作部を有し、ユーザが該操作部を操作することによってリモコン送信器２からリモコン受信器３へ所定の制御信号が送信される汎用のリモコン通信システムとしても用いることができる。
【００２４】
具体的には、図３に示されるように、リモコン送信器２は、操作部としての操作パネル３１と、ユーザにより操作パネル３１が操作されたときに送信トリガ信号２３を制御部８へ出力する送信トリガ部３２と、を備え、リモコン受信器３の制御部７には被制御機器としてのテレビジョン受像機等の電気機器３０が接続されている。この構成においても、リモコン送信器２のデータ２１を送信するための動作時間が平均的に短くなるので、リモコン送信器２の消費電力が低減される。
【図面の簡単な説明】
【００２５】
【図１】本発明の一実施形態に係るリモコン通信システムを組み込んだ照明制御システムのブロック図。
【図２】同リモコン通信システムにおける送信器と受信器間の送受信態様を示すタイミングチャート。
【図３】同リモコン通信システムにおいて、リモコン送信器がユーザによって操作可能な汎用タイプに構成された場合のブロック図。
【図４】従来のリモコン通信システムにおける送信器と受信器間の送受信態様を示すタイミングチャート。
【符号の説明】
【００２６】
１  リモコン通信システム
２  リモコン送信器
３  リモコン受信器
６  人感センサ（トリガ部）
９  データ送信部
１０  同期信号受信部
１３  同期信号送信部
２１  データ
２２、２２ａ、２２ｂ・・  同期信号
２３  トリガ信号
３２  送信トリガ部（トリガ部）
ｔ１  受信間隔
【図１】
2009290352.tif 000003
【図２】
2009290352.tif 000004
【図３】
2009290352.tif 000005
【図４】
2009290352.tif 000006